(57)【要約】  本発明は、マッサージ、指圧療法、リフレクソロジー、こすりつけること／引っ掻くこと、指圧及び他の健康改善技術で最も基本的な原理を組み込むことによって、感触の治癒力を、機能的且つ多面的な人間工学の身体への操作及びストレス緩和と組み合わせる取り付けユニットを備え、ユーザに、使いやすい自動管理可能な刺激経験を提供する。ユニットは、全体的にドームの複数の突起を含み、突起の各々から、ドームの表面の中心を通って延びる爪状のリブが延在し、ユーザが自分に望ましい圧力で彼又は彼女の背中をそれにこすりつけるときのマッサージ経験を実行する。取り付けユニットは、ヒンジ・ドアと、本発明によってマッサージ可能な身体の領域を増加させる取り外し可能な持ち手部とを含むことができ、ヒンジ・ドアの後ろには、より集中するマッサージのために突起上に取り外し自在に固定可能な専門アタッチメントを保管することができる。
2021509620.tif 000002
【特許請求の範囲】
【請求項１】
凸面突起を備え、前記凸面突起上で、その中心領域を通って隆起リブが延び、前記中心領域は、前記凸面突起の上面の中心５０％からなり、前記凸面突起は、バッキングに結合される、装置。
【請求項２】
前記隆起リブは、１から５ｍｍの高さである、請求項１に記載の装置。
【請求項３】
複数の前記凸面突起が、前記バッキングから延在し、前記隆起リブの２つ以上は、異なる方向に配向される、請求項１に記載の装置。
【請求項４】
前記バッキングは、前記突起の反対側の前記バッキング側に、振動モータを含むハンドルをさらに備える、請求項１に記載の装置。
【請求項５】
ニブが、前記突起の側から延在し、前記ニブは、アタッチメントを前記突起に結合及び固定するように構成される、請求項１に記載の装置。
【請求項６】
前記バッキングの背面は、垂直面と同一面に取り付けるように構成される、請求項１に記載の装置。
【請求項７】
前記バッキングは、垂直面のコーナーに取り付けるために角度を有して構成される、
請求項１に記載の装置。
【請求項８】
垂直面に取り付けるための装置であって、
前記装置は、ドッキング・ポートにてバッキング・ユニットに取り外し自在に取り付けられる手持ち式のバッキングから延在する複数の凸面突起を備え、ニブが、少なくとも１つの凸面突起の側から延在し、アタッチメントを前記凸面突起に対して少なくとも部分的に制限するチャネルに嵌められる、装置。
【請求項９】
前記手持ち式のバッキングは、振動モータを含む、請求項８に記載の装置。
【請求項１０】
前記突起は、列当たり３〜５の前記突起が存在し、カラム当たり１０〜３０の前記突起が存在するように構成される、請求項８に記載の装置。
【請求項１１】
前記垂直面ユニットは、ヒンジ・ドアによって囲まれる保管区画を含む、請求項８に記載の装置。
【請求項１２】
前記手持ち式のバッキングは、振動モータと、前記振動モータに電力供給する電源に電気的に結合される充電ポート・レシーバとを含み、前記充電ポート・レシーバは、ポスト形状の充電ポートを受け入れるように構成され、前記ポスト形状の充電ポートは、前記ドッキング・ポートで前記垂直面ユニットに恒久的に取り付けられる、請求項８に記載の装置。
【請求項１３】
前記アタッチメントは、車輪を備える、請求項８に記載の装置。
【請求項１４】
前記面ユニットの垂直高さは、２５．４〜７６．２ｃｍ（１０〜３０インチ）の長さである、請求項８に記載の装置。
【請求項１５】
人間又は動物の体表を引っ掻くか又はマッサージをするための方法であって、
前記方法は、少なくとも１つの凸面突起を備えるデバイスを壁に取り付けるステップを含み、前記凸面突起から、リブが、前記凸面突起の中心領域を通って延び、前記中心領域は、前記突起の前記凸面の中心５０％からなり、前記突起は、バッキング・ユニットに結合され、前記バッキング・ユニットは、８８．９〜１１６．８４ｃｍ（３５〜４６インチ）の下部の取り付け高さ及び１２１．９２〜１５７．４８ｃｍ（４８〜６２インチ）の上部の取り付け高さを有し、
前記方法は、前記体表を前記突起に対して移動させるステップを含む、方法。
【請求項１６】
前記方法は、前記バッキング・ユニットから持ち手部を取り外すステップと、前記持ち手部を前記体表に対して移動するステップとをさらに含む、請求項１５に記載の方法。
【請求項１７】
前記方法は、アタッチメントを前記凸面突起上に配置するステップを含む、前記アタッチメントを前記凸面突起に取り付けるステップと、前記凸面突起上のニブを、前記アタッチメントを少なくとも部分的に制限するチャネル内に嵌めるステップと、前記凸面突起に対して前記ニブを回転させることにより、前記アタッチメントを固定するステップと
をさらに含む、請求項１５に記載の方法。
【請求項１８】
前記方法は、車輪を取り付けるステップをさらに含む、請求項１７に記載の方法。
【請求項１９】
前記方法は、前記デバイスから持ち手部を取り外すステップをさらに含み、前記持ち手部は、前記凸面突起の少なくとも１つを備える、請求項１５に記載の方法。
【請求項２０】
前記方法は、前記持ち手部に対するアタッチメントを、ヒンジ・ドアによって囲まれる保管区画内に保管するステップをさらに含み、前記ヒンジ・ドアは、外面上の前記凸面突起の少なくとも１つをさらに備える、請求項１９に記載の方法。
【発明の詳細な説明】
【技術分野】
【０００１】
本開示は、皮膚及び組織の接触及び圧力デバイスに関するものである。
【０００２】
とりわけ、本開示は、引っ掻くこと又はマッサージに用いられるツールに関するものである。
【背景技術】
【０００３】
ユーザが身体の領域を引っ掻くか又はマッサージすることができるさまざまなデバイスが利用できるが、この種のデバイスは、一般的にマッサージ又は引っ掻くことの一方に集中され、２つを効果的に組み合わせるための現実的なオプションは存在しない。これらのデバイスのいくつかは、好適実施例では、壁に取り付けられたデバイスであるが、それらの固定位置のために、有用性において制限され、身体の特定の領域に到達することをより困難にする。深部組織マッサージは、かなりの集中した量の力を必要とし、このことは、多くの突起を有し、突起が多くの接点にわたり力を分散させるデバイスに貢献しない。それゆえ、背中を引っ掻くこと及び背中をマッサージすることの両方を可能にするユーザ・フレンドリーなデバイスを有することが望ましい。これらを深部組織マッサージ機能と組み合わせることは、より多くの有用性を提供する。
【発明の概要】
【発明が解決しようとする課題】
【０００４】
本発明は、マッサージ、指圧療法、リフレクソロジー、こすりつけること／引っ掻くこと、指圧及び他の健康改善技術の最も基本的な原理を組み込むことによって、感触の治癒力を、機能的且つ多面的な人間工学の身体への操作及びストレス緩和と組み合わせ、ユーザに、使いやすい自動管理可能な刺激経験を提供する。
【課題を解決するための手段】
【０００５】
このデバイスの実施例では、取り付けられたバッキング・ユニットは、壁又はその他のこの種の平坦又は半平坦な垂直面に取り付けられる。バッキング・ユニットは、取り外し可能な持ち手部及びヒンジ・ドア・ユニットを備える。取り外し可能な持ち手部及びヒンジ・ドア・ユニットの両方は、それらの表面から延在する複数の突起を有し、各々は、独特の爪状の突起であるリブを有し、ユーザが彼又は彼女の背中をこすりつけるとき、突起及びリブは、ユーザの皮膚に対してマッサージ及び引っ掻く感覚の気持ちの良い組み合わせを形成する。一実施例では、リブは、突起の凸面の最高４０％を備え、変化する感覚、例えば５から３５％又は１０から２５％を可能にする。さらに、各リブは、各突起上に異なる角度で配向され、背中を引っ掻く手の感覚により類似する動的な触覚を可能にし、すべての爪が同じ方向を向いているわけではなく、上下方向、横方向及び斜め方向の引っ掻くパターンを形成する。
【０００６】
一実施例では、持ち手部は、バッキング・ユニットに取り外し自在に取り付けられる。持ち手部の裏には、人間工学的に設計されたハンドルが存在し、ユーザ又は他の個人は、次に、ハンドルを握り、マッサージ経験を、背中以外の身体の領域、例えば、脚、腕に施してもよいし、又は、単により角度の柔軟性を提供し、背中をマッサージしてもよい。振動モータはまた、持ち手部のハンドル内に設置して、ユーザに彼又は彼女の自己管理したスパ経験のためのより多くのオプションを提供することもできる。
【０００７】
専門ヘッドを有する交換可能なアタッチメントは、突起上に取り外し自在に固定することができる。この種のアタッチメントは、凸面スポークを有する回転可能な車輪とすることができ、各凸面スポークは、突起上のリブに類似のリブを有し、より集中する圧力を提供することができる。他のアタッチメントは、凸面ヘッドを有する滑らかな円筒状アタッチメントとすることができ、再び、ユーザが、一般に指圧療法として知られる、患部により集中した圧力を加えることを可能にする。
【０００８】
本発明の他の特徴及び効果は、添付の図面を参照しながら、以下のより詳細な説明から明らかになる。
【図面の簡単な説明】
【０００９】
【図１】ドア及び取り外し可能な持ち手部を有する組織治療ツールの例示的実施例の側面図である。
【図２】組織治療ツールから延在する個々の突起の例示的実施例の側面図（図２Ａ）及び平面図（図２Ｂ）を含む。
【図３】組織治療ツールから延在する個々の突起の例示的な配向の俯瞰図である。
【図４】アタッチメントを突起に取り外し自在に適合することができる隆起を有する例示的な突起のズームインされた俯瞰図である。
【図５】突起上に適合するための例示的なアタッチメントの断面平面図（図５Ａ）及び側面図（図５Ｂ）を含む。
【図６Ａ】図５に示されるアタッチメントに適合する例示的なローラー・アタッチメントの断面側面図である。
【図６Ｂ】図５に示されるアタッチメントに適合する例示的なローラー・アタッチメントの断面平面図である。
【図６Ｃ】図５に示されるアタッチメントに適合する追加のアタッチメントの平面図である。
【図６Ｄ】図５に示されるアタッチメントに適合する追加のアタッチメントの側面図である。
【図７】取り外し可能な持ち手部の例示的実施例の断面側面図（図７Ａ）及び断面背面図（図７Ｂ）を含む。
【図８】組織治療ツール上のドアの例示的実施例の平面図（図８Ａ）、断面側面図（図８Ｂ）及び断面底面図（図８Ｃ）を含む。
【図９】垂直面のコーナー上に取り付けるための例示的な組織治療ツールの平面図（図９Ａ）及び断面側面図（図９Ｂ）を含む。
【図１０】コーナーに取り付けられる組織治療ツール上の突起に適合するための例示的なアタッチメントの平面図（図１０Ａ）及び側面図（図１０Ｂ）を含む。
【図１１Ａ】持ち手部を取り付ける例示的な壁ユニットのズームされた俯瞰図である。
【図１１Ｂ】持ち手部を取り付ける例示的な壁ユニットのズームされた平面図である。
【発明を実施するための形態】
【００１０】
以下の説明では、説明のために、多数の特定の詳細が、１つ又は複数の態様の完全な理解を提供するために記載される。しかしながら、この種の態様がこれらの特定の詳細なしで実行されてもよいことは明白である。
【００１１】
さらに、「又は」という用語は、排他的な「又は」というよりむしろ、包含的な「又は」を意味することを意図する。すなわち、特に明記しない限り、又は、文脈から明らかでない限り、「ＸはＡ又はＢを使用する」というフレーズは、自然な包含的な置換のいずれかを意味することを意図する。すなわち、「Ｘは、Ａ又はＢを使用する」というフレーズは、以下の例のいずれかによって満たされる。ＸはＡを使用する、ＸはＢを使用する、又は、ＸはＡ及びＢを使用する。さらに、この明細書及び添付の請求の範囲において用いられる冠詞「ａ」「ａｎ」「ｔｈｅ」は、特に明記しない限り、又は、文脈から単数形に向けられることが明らかでない限り、「１つ又は複数」を意味するものと解釈されるべきである。さらに、本願明細書において用いられるとき、「例示的な」という用語は、何らかの図示例又は実例として機能することを意味することを意図せず、優先を示すことも意図しない。
【００１２】
健康的な生活の鍵は、良好な循環を有するストレスのない、しなやかな身体である。大部分の個人にとって、機械的援助なく、身体の特定の領域の循環に到達し、刺激することは、しばしば困難である。これは、特に、一般に筋肉の凝りと呼ばれている筋肉トリガ・ポイントにあてはまり、これは、筋肉の痛みの原因であることが知られている。これらの到達するのが困難な場所にある痛みを緩和するために、個人は、マッサージ師、リフレクソロジスト又は何らかの他の身体操作の専門家のところに行かなければならないか、又は代替的には、フォーム・ローラ又はテニス・ボールのようなデバイスで患部を伸ばすのにかなりの時間を費やさなければならない。マッサージ師又はリフレクソロジストに見てもらうことは非常に効果的でありうる。しかしながら、この種のサービスは、特に、ボディ・ビルダーのような筋肉の緊張により多くの注意を必要とする区分の人々にとって、急速に極端に高コストになりうる。同様に、フォーム・ローラ又はテニス・ボールで患部を伸ばすこともまた効果的でありうる。しかしながら、セッションのために専門家に見てもらうよりコストは低いが、特定の患部を狙うことは困難になり得、ユーザは、地面上で転がる必要があり、このことは、不衛生且つ不快になりうる。
【００１３】
本願明細書において開示される技術は、人間又は動物の身体の表面をマッサージし、刺激し、且つ、引っ掻くためのデバイス及び方法である。実施例では、この技術によって、ユーザは、筋肉トリガ・ポイントに関連付けられた痛みを容易に軽減できるとともに、同時に、マッサージ師のところに繰り返し訪問することより安いコストで、患部への循環を増加し、フォーム・ローラより容易な実施が可能になる。
【００１４】
一実施例では、デバイスは、全体的にドーム形状の突起の配置を含み、突起は、細い中心の突出リブを有する。これらの突起の形状は、引っ掻くこと及びマッサージの両方に適用できるように独特に構成される。他の実施例では、２つ以上の突出リブが存在することができる。突起は、持ち手部を形成する、人の手の中に握られるように構成される表面に配置される。他の実施例では、持ち手部は、垂直面に確実だが取り外し自在に取り付けられる壁型ユニットに接続され、全体的にドーム形状の突起の配置を含んでもよい。さらに他の実施例では、壁ユニット内に保管されてもよく、持ち手部又は壁型ユニット上の突起の１つ又は複数に、確実だが取り外し自在に取り付けられてもよいアタッチメントが提供される。
【００１５】
図１を次に参照すると、例示的な取り付け装置１００の側面図が示され、装置１００は、ユーザの身体を心地よく刺激し、引っ掻き、マッサージするように構成される。装置１００は、壁又は他の類似の平坦な垂直面に容易に取り付け可能に構成されるバッキング・ユニット１０２と、取り外し自在に取り付けられる持ち手部１０４と、ヒンジ・ドア１０６と、持ち手部１０４及びヒンジ・ドア１０６から延在する複数の突起１０８と、を備える。図１は、説明の容易さのために、ただ１列の突起１０８のみを示すが、以下の図面に示すように、本実施例では、複数の列の突起１０８が存在する。持ち手部１０４及びヒンジ・ドア１０６のベース面は、凸面勾配を有し、複数の凸面突起１０８が延在する独特に湾曲した表面を形成する。これらの特徴の各々は、以下、さらに詳細に記載されている。
【００１６】
図２を次に参照すると、持ち手部１０４及びヒンジ・ドア１０６から延在する個々の凸面突起１０８の例示的な図である。凸面突起１０８は、ドーム又は全体的に凸形状とすることができる。各突起１０８は、凸面突起１０８の直径にわたり、突起１０８の凸面の中心部から垂直に延在するリブ２０２を有する。リブ２０２は対称形の突出している隆起であり、本実施例では、ドームの隆起部分であるが、尖った、例えば９０度の縁２０４の輪郭を有さない。ユーザがリブ２０２に接触するときの触覚が指の爪で体表を引っ掻く感覚に類似するように、リブ２０２は、サイズ及び形状の点で指の爪に類似する。一実施例では、リブ２０２は、凸面突起１０８の上面の中心５０％からなる中心領域２０７を通って延びる。「中心領域を通って延びる」とは、リブ２０２の少なくとも一部がこの領域を通り抜けることを意味する。この言語は、リブ２０２の全長又は全幅がこの中心領域内に含まれる必要があることを意味するわけではない。リブ２０２は、凸面突起１０８から１から１００ミリメートル、例えば、１．５から７．５ｍｍ又は２から５ｍｍの高さまで垂直に延在する。リブ２０２は、凸面突起１０８から０．５から５ミリメートルの幅まで水平に延在する。一実施例では、中心領域２０７は、上面の中心４０％又は上面の中心１５％からなる。凸面突起１０８の中心領域２０７は、突起１０８の平面図（例えば図２Ｂ）に基づいて決定され、突起１０８の上方に向く面の全面積を測定する。５０％の中心領域２０７は、上方に向く面の全面積の５０％であり、凸面突起１０８の中心２０９にあり、図２Ｂの平面図に示すように、凸面突起１０８の外縁２１１と同じ形状を有する。図２Ｂでは、外縁２１１が円であるので、中心領域２０７の形状は円である。
【００１７】
図３は、凸面突起１０８及びその上のリブ２０２の角度及び配置について、取り付け装置３００の例示的実施例を示す。本実施例では、凸面突起１０８の３つのカラム３０１、３０２、３０３が存在し、２つの外側のカラム３０１、３０３の各々は、８つの凸面突起１０８を含み、中間のカラム３０２は、９つの凸面突起１０８を含む。
【００１８】
実施例３００では、各リブ２０２は、同じ高さ及び幅であるが、各凸面突起１０８上のリブ２０２は、異なる角度で配向されるので、ユーザは、より動的なマッサージ経験を覚えることができ、取り付け装置３００は、引っ掻くために手の指を曲げ、整列配置するとき、実際の指の爪によって引っ掻かれるときに体表が経験するものにより類似している上下方向、横方向、斜め方向及び／又は他の組み合わせの圧力をリブ２０２から同時に送る。外側のカラム３０１の８つの凸面突起１０８上のリブ２０２は、以下のとおり、上から下まで順に並ぶ。斜め右のリブ、斜め左のリブ、水平リブ、斜め右のリブ、斜め左のリブ、水平リブ、斜め右のリブ及び斜め左のリブ。斜め右とは、右上側に傾斜したことを意味し、斜め左とは、左上側に傾斜したことを意味する。中心のカラム３０２の９つの凸面突起１０８上のリブ２０２は、以下のとおり、上から下まで順に並ぶ。水平リブ、垂直リブ、水平リブ、垂直リブ、水平リブ、垂直リブ、水平リブ、垂直リブ及び水平リブ。外側のカラム３０３上の８つの凸面突起１０８上のリブ２０２は、以下のとおり、上から下まで順に並ぶ。斜め左のリブ、斜め右のリブ、水平リブ、斜め左のリブ、斜め右のリブ、水平リブ、斜め左のリブ及び斜め右のリブ。一実施例では、図３に示すように、いかなるカラム３０１から３０３でも、上から下に行くまで、リブ２０２は、その隣りの上下と同じ方向に配向されない。一実施例では、図３に示すように、２つの外側のカラム３０１、３０３は、互いの鏡像である。
【００１９】
図４は、持ち手部１０４の表面に配置されている、図３の装置３００の第２のカラム３０２からの１つの凸面突起１０８の上面拡大図４００である。凸面突起１０８は、ユーザが、専門アタッチメント（図５の５０２参照）を、ツイスト・ロックの機構で固定されて、１つ又は複数の凸面突起１０８上に配置することができるように構成される。これにより、ユーザは、専門目的を有する他の独特の形状を身体への刺激のために利用することができる。凸面突起１０８は、凸面突起１０８の対向する垂直側面から延在する２つのニブ４０２を装備する。さらに、一実施例では、凸面突起１０８の両側には、持ち手部１０４のベース内に押し込まれた２つの凹くぼみ４０４が存在する。代替的には、拡大図４００に示される凸面突起１０８がヒンジ・ドア１０６上に位置する場合、凹くぼみ４０４は、ヒンジ・ドア１０６のベースに押し込まれる。
【００２０】
図５に次に進むと、専門アタッチメント５０２は、突起１０８上に取り外し自在に固定されるように構成される。一実施例では、この突起１０８は、中間のカラム３０２に位置し、例えば、デバイス３００の上から２、５又は８番目の突起１０８である（図３参照）。アタッチメント５０２は、凸面突起５１０の両側の２つの側部開口５０４と、アタッチメント５０２のベース５０８から延在する２つの凸面ニブ５０６と、を有する。アタッチメント５０２のベース５０８は、図１に関して上述したような持ち手部１０４及びヒンジ・ドア１０６のベース面と同じ凸形状である。凸面突起５１０は、半径が突起１０８よりわずかに大きく、突起１０８の上部に適合するように構成される。側部開口５０４は、ほぼＬ字状であり、アタッチメントのベース５０８から開始し、凸面突起１０８上のニブ４０２の最も高い部分の高さにほぼ等しい高さまで上方に延在する垂直部分からなる。次に、側部開口５０４は、鋭く側方に曲がり、開口５０４の垂直部分からほぼ９０度の角度で水平に延在し、角度は、９０度の角度からプラスマイナス５度、３度又は１度の範囲とすることができる。側部開口５０４は、円形の延在部５１２で終端する。円形の延在部５１２は、凸面突起１０８のニブ４０２を受け入れるように構成される。円形の延在部５１２のネック５１４は、突起のニブ４０２の半径又は外周に密接に合致する開口を定義する。
【００２１】
アタッチメント５０２が凸面突起１０８上で下に摺動するとき、側部開口５０４の構成によって、側部開口５０４は、その垂直部分内にニブ４０２を受け入れることができる。次に、ニブ４０２が側部開口５０４の垂直部分５１６の上部に到達するとき、アタッチメント５０２は、（上から見て）時計回りに回転し、その結果、ニブ４０２は、次に、側部開口５０４の水平部分５１８内に摺動する。アタッチメント５０２は、部分的にはニブ４０２及び円形の延在部５１２のネック５１４の精密な許容値（例えば、同じ垂直高さであることからの０から１％又は０．０００１から０．１％）のため、このようにロックされる。アタッチメント５０２がこのように位置決めされるとき、凸面ニブ５０６を受け入れるベース１０２上のくぼみ４０４によって、ロッキング係合もまた容易になり、それは、アタッチメント５０２を安定化させ、使用の間、ロッキング又はその他の押し合いを防止し、さらに、力をアタッチメント５０２上に提供し、円形の延在部５１２内に回転したニブ４０２が、側部開口５０４のネック５１４を過ぎ、逆戻りして回転しないように保つ。アタッチメント５０２は、剛性であるが、プラスチックのようないくらか可撓性の材料でできているので、ベース５０８は、わずかに撓曲することができ、凸面ニブ５０６は、回転し、くぼみ４０４に整列配置することができる。ユーザの皮膚に対して押圧されるとき、ニブ４０２は、ネック５１４の開口に整列配置されないように円形の延在部５１２の底面の方に押下される。このように、アタッチメント５０２は、凸面突起１０８にロック係合されたままになる。
【００２２】
ニブ４０２が側部開口５０４の垂直部分５１６に到達するまで、ニブ４０２が側部開口５０４の水平部分５１８に沿って後ろに円形の延在部５１２のネック５１４を通って移動するように、アタッチメント５０２を（例えば反時計回りに）回転させることによって、ユーザは、アタッチメント５０２を取り外すこともでき、次に、ニブ４０２がアタッチメント５０２のベースに到達し、開口５０４の垂直部分５１６から出るまで、凸面突起１０８からアタッチメント５０２を摺動させることによって、凸面突起１０８から滑り落ちることができる。
【００２３】
一実施例では、凸面突起５１０はまた、凸面突起５１０の対向する側に長手方向に延びる凹状チャネル５２０も含む。これは、後述する追加の治具６００に適合するためにある。
【００２４】
図６Ａ、６Ｂ、６Ｃ及び６Ｄを次に参照すると、さらに変化する身体刺激のためにアタッチメント５０２に固定可能な追加の治具６００は、治具の垂直断面（６Ａ）、水平断面（６Ｂ）、治具６００のアタッチメント機構の平面図（６Ｃ）及び治具６００のアタッチメント機構の側面図（６Ｄ）に示される。治具６００は、図６Ｃに示されるアタッチメント機構６１７を介してアタッチメント５０２に固定される。受け端６１６は、アタッチメント５０２の凸面上でストップ点まで摺動する。一実施例では、受け端６０２は、アタッチメント・アーム６１８上できつく適合するように構成される開口６０５を定義する。アタッチメント・アーム６１８は、２つのプロング６１９を備え、開口６０５がプロング６１９上で摺動するとき、アタッチメント６００の開口６０５がインデント６２０に到達するまで、プロング６１９は、互いの方にわずかに圧縮し、その点で、プロングへの圧力は解放され、アタッチメント６００は、アタッチメント・アーム６１８上に固定される。アタッチメント６００をアタッチメント・アームから取り外すために、ユーザは、アタッチメント６００の開口６０５をインデント６２０から摺動することができ、アタッチメント・アーム６１８から完全に取り外すことができるまで、プロング６１９を互いの方に圧縮する。一実施例では、開口６０５は、全体的に管状であるが、開口６０５の内径の周りに延びる突出する隆起６０７によって中断された形状を有する。隆起６０７は、アタッチメント・アーム６１８のインデント６２０に密接に適合するように構成される。
【００２５】
治具６００は、治具６００の受け端６０２に回転可能に固定される車輪６１１を備える。車輪６１１は、いくつかのスポーク６１３及び複数の突出部６０４が配置される外縁６１５を有する。これらの突出部６０４は、図１、図２らに示される凸面突起１０８と、形状の点で類似である。各突出部６０４は、形状の点で凸面突起１０８から延在するリブ２０２に類似のリブ６０６を有する。これらのリブ６０６は、突出部６０４の正中線に沿って、突出部の中心部から延在する。実施例では、リブ６０６は、上述したリブ２０２と同じ中心領域を占有してもよく、上述したリブ２０２と同じ寸法を有してもよい。
【００２６】
図７は、最初に図１について上述した持ち手部１０４の例示的な装置７００のいくつかの図を示し、この図では、バッキング・ユニット１０２から取り外されている。持ち手部１０４は、通常、上部のアンカー・タブ７０８及び下部のアンカー・タブ７１０によってバッキング・ユニット１０２に取り付けられる。下部のアンカー・タブ７１０は、持ち手部１０４が載るバッキング・ユニット１０２のベースのＶ形状の溝付き凹部内に適合する。上部のアンカー・タブ７０８は、持ち手部１０４が載るバッキング・ユニット１０２の上部で、隆起上でラッチ係合する。バッキング・ユニット１０２から持ち手部１０４を取り外すために、ユーザは上部のアンカー・タブ７０８を引き、バッキング・ユニット１０２の上部で隆起から上部のアンカー・タブ７０８を分離し、ユーザの方に持ち手部１０４を傾け、したがって、持ち手部１０４の上半分をバッキング・ユニット１０２から分離する。次に、ユーザは、下部のアンカー・タブ７１０が、持ち手部１０４が載るバッキング・ユニット１０２のベース内のスロットから完全に引かれるまで、持ち手部１０４を上方に持ち上げる。次に、持ち手部１０４は、バッキング・ユニット１０２から完全に取り外され、手持ちの使用の準備ができる。
【００２７】
持ち手部１０４は、湾曲上面を有するベース７０２を備え、湾曲上面から、凸面突起１０８はすべて、各凸面突起１０８のためのアンカー点７１２がベース７０２上に存在する位置に関係なく、同じ方向に延在する。一実施例では、凸面突起１０８は、均一な高さに延在する。追加の実施例では、外側のカラム３０１、３０３の凸面突起１０８は、均一な高さに延在し、一方、中心のカラム３０２の凸面突起１０８は、外側のカラム３０１、３０３の凸面突起１０８よりわずかに高く延在する。例えば、外側のカラム３０１、３０３の凸面突起１０８は、中心のカラム３０２の凸面突起１０８より０．１から３センチメートル、例えば、０．５から２．５又は１から２センチメートル大きい高さに延在する。
【００２８】
さらに、持ち手部１０４はハンドル７０４を含み、バッキング・ユニット１０２に取り付けられるとき、ユーザは、容易にアクセスできる領域以外の身体の領域に持ち手部１０４を適用するためにハンドル７０４を握ることができる。一実施例では、ハンドル７０４は、ハンドル７０４の側にインデント７０６を有し、人間工学的な感触を提供し、ユーザの親指が使用中により便利な場所により快適に置くことができるようにする。さらに後述するように、一実施例では、持ち手部１０４は、バッキング・ユニット１０２から延在するポストを受け入れるポスト穴７０５を含む。
【００２９】
一実施例では、持ち手部１０４のハンドル７０４は、振動モータが配置される中空内部を有し、振動モータは、起動されるとき、持ち手部７０４を心地よく振動させることによって、ユーザが経験するリラックス効果を上昇させる。振動モータは、内部バッテリにより電力供給可能である、又は、オプションで、バッキング・ユニット１０２内に収容される外部電力ポート／コードで外部から充電可能である。代替的には、電力コードは、バッキング・ユニット１０２内に少なくとも部分的に収納可能であり、バッキング・ユニット１０２に少なくとも部分的に格納されてもよい。
【００３０】
図７は、バッキング・ユニット１０２内の対応する凹部に適合する上部のアンカー・タブ７０８及び下部のアンカー・タブ７１０を示す。上部の凹部は、上部のアンカー・タブ７０８が適合して、固定されるために外にわずかに屈曲しなければならないリップを含む。上部のアンカー・タブ７０８は、頑丈な剛性材料ででき、破壊せずにわずかに屈曲でき、ユーザの横方向の背中を引っ掻く動きに耐える。以下の図１１Ａ及び図１１Ｂに示されるように、下部のアンカー・タブ７１０は、バッキング・ユニット１０２内のＶ形状の溝付き凹部に適合し、さらに、横方向の圧力に対して持ち手部１０４をバッキング・ユニット１０２内に固定及び支持する。
【００３１】
振動モータの電力供給は、バッテリ、又は、外部のコンセントからバッキング・ユニット１０２に取り付けられた電気プラグ（ＵＳＢ又は別のもの）を通り流れる電流により達成され、電流は、次に、バッキング・ユニット１０２を通り、持ち手部１０４のポスト上の充電ノード及び最後に振動モータに流れる。
【００３２】
図８を次に参照すると、説明の容易さのために、ただ１列の突起１０８のみを示す、図８Ａにヒンジ・ドア１０６の拡大図の平面図を示し、図８Ｂにその側面図を示し、図８Ｃにその断面底面図を示す。図８Ｃに示すように、ヒンジ・ドア１０６は、ヒンジ結合８０４によって取り付け装置１００のバッキング・ユニット１０２に恒久的に固定される。ヒンジ・ドア１０６は、湾曲上面を有するベース８０３を備え、湾曲上面から、凸面突起１０８はすべて、各凸面突起１０８のためのアンカー点がベース８０３上に存在する位置に関係なく、同じ方向に延在する。ラッチ８０２は、斜めの縁を備え、より簡単な開閉を可能にする。ヒンジ・ドア１０６は、ラッチ８０２を有し、ラッチ８０２によって、ユーザは、ラッチ８０２が外にユーザの方に引かれるとき、容易にドア１０６を開けることができ、ヒンジ・ドア１０６は、ヒンジ結合８０４を中心に回転し、ドアと中空の保管領域８０６の垂直面８０８との間の中空の保管領域８０６を露出させることができる。保管領域８０６を用いて、アタッチメント５０２、追加の治具６００又はユーザが中に保管することを望むどんな小さい物でも保管することができる。
【００３３】
図９は、壁又は他の類似の角度のある垂直面のコーナーに適合し、取り付けることができるように構成される追加のコーナー装置９００を示す。コーナー・ベース９０２は、９０度の角度を形成するように接触する２つの側面からなる。コーナー・ベース９０２は、Ｖ形状の上面を有する。Ｖ形状は、人間工学的に丸い点を有するＶを含んでもよい。突起１０８は、フランジ上のどこに突起１０８が存在するかに関係なく、コーナー・ベース９０２から同じ方向に延在する。一実施例では、凸面突起１０８は、Ｖ形状の点と同じ方向を指す。
【００３４】
一実施例では、凸面突起１０８の３列９０４、９０５及び９０６が存在し、すなわち、凸面突起１０８は、外側の２列９０４及び９０６並びに９０度の角度に沿った中心の１列９０５からなり、列９０４が側面９１０にあり、列９０６が側面９１２にあり、２つの側面９１０及び９１２は接触する。コーナー・ベース９０２から延在する凸面突起１０８はまた、より全体的に上述したのと同じリブ２０２を有し、リブ２０２は、より動的な刺激経験を可能にする。図３に示される実施例３００と同様に、ユーザがより動的なマッサージ経験を達成することができるように、各リブ２０２が同じ高さ及び幅であるが、各凸面突起１０８上のリブ２０２は、異なる角度で配向され、ユーザがこすりつけるとき、コーナー装置９００は、上／下方向、横／横方向、斜め方向、及び／又は、他の組み合わせ圧力をリブ２０２から同時に送る。凸面突起１０８及びリブ２０２は、上述したのと同じ寸法、配向及び高さの範囲を有してもよい。
【００３５】
コーナー・ベース９０２は、壁又はその他のこの種の垂直な９０度の表面のコーナーに取り付けることができ、これは、接着装置を用いて、又は、機械的に、ネジ又は釘穴９０８によって固定されるように、コーナー・ベース９０２の両側９１０、９１２にコーナー・ベース９０２を固定することによって行われる。他の実施例は、デバイス上の他の位置におけるさまざまな数のネジ又は釘穴を有してもよい。さらに、コーナー・ユニット９００は、上述した壁ユニット１００の特徴と組み合わせることができる。例えば、コーナー・ユニット９００は、使いやすさのために、コーナー・ベース９０２から取り外すことができるＶ形状の持ち手部を備えるように構成可能である。コーナー・ユニット９００は、Ｖ形状のヒンジ・ドアを備えるようにさらに構成可能であり、ヒンジ・ドアの後ろには、アタッチメント又はその他のこの種の小物のための保管空間が存在する。
【００３６】
図１０は、凸面突起１０８上に取り外し自在に固定されるように構成されるコーナー・アタッチメント１００２の平面図１０Ａ及び側面図１０Ｂを含む。コーナー・アタッチメント１００２は、全体的にひし形に形成され、コーナー・ベース９０２に合致するよう同様に角度がつけられ、コーナー・アタッチメント１００２は、９０度の角度を形成するように接触する２つの側面１０１０、１０１２を備え、２つの側面１０１０、１０１２は、それぞれ、コーナー・ベース９０２の側面９１０及び９１２に結合する。コーナー・アタッチメント１００２は、多数の穴１００４を有し、突起１０８上で下に摺動するとき、穴１００４は、コーナー・アタッチメント１００２をコーナー・ベース９０２に取り外し自在だが確実に固定する。次に、突起１００６は、コーナー・アタッチメント１００２から延在し、ユーザの皮膚の特定の領域を狙うために使用可能であり、又は、突起１００６に、追加の治具６００を取り付けることができる。一実施例では、凸面突起１００６はまた、凸面突起５１０の反対側に長手方向に延びる凹状チャネル１００８を含む。これは、図６において上述した追加の治具６００のような追加の治具に適合するためである。
【００３７】
図１１は、持ち手部１０４のためのバッキング・ユニットの取り付け部分の俯瞰の斜視図１１Ａ及び平面図１１Ｂを含む。図１１Ａに示すように、ヒンジ・ドア１０６のためのフレームの上部は、Ｖ形状の溝付き凹部１１０４を有し、持ち手部１０４の下部のアンカー・タブ７１０（図７参照）を受け入れ、持ち手部１０４をバッキング・ユニット１０２に固定するのを支援する。持ち手部１０４をバッキング・ユニット１０２にさらに固定するために、持ち手部の裏側に内部に延在するポスト穴７０５（図７参照）は、バッキング・ユニット１０２から延在するポスト１１０２を受け入れ、取り付け装置１００として用いられるとき、持ち手部１０４をバッキング・ユニット１０２に固定する。一実施例では、持ち手部１０４をバッキング・ユニット１０２に固定するポスト１１０２は、過剰な横方向の運動を防止することによって持ち手部１０４を固定すること、及び、各ポストの端の充電ノードを有する持ち手部１０４の内の振動モータに充電するための接触すること、という二重の目的を果たすことができる。本実施例では、ポスト１１０２は、持ち手部１０４をバッキング・ユニット１０２に確実に固定するために、ポスト穴内に延在する実質的な長さ（例えば、２から１０ｃｍ、例えば、３から８又は４から７ｃｍ）及び直径（例えば、１から５ｃｍ、例えば、１．５から４又は２から３．５ｃｍ）を有し、デバイスは、ユーザの背中を引っ掻く動きからの大きい横方向の圧力を受け入れるように構成される。一実施例では、ポスト穴７０５とポスト１１０２との間のクリアランスは、小さくてもよく、例えば、０．０００１ｃｍから０．１ｃｍ、０．００１から０．００５ｃｍ又は０．０１ｃｍから０．０９ｃｍである。
【００３８】
一実施例では、バッキング・ユニット１０２は、人間の胴の平均高さ内の高さの垂直面に取り付けられる。バッキング・ユニット１０２の下部（すなわち、バッキング・ユニット１０２の下部の高さ）が平均的なユーザのウエストの上部の高さにある、及び／又は、バッキング・ユニット１０２の上部が平均的なユーザの肩の高さにあるように、バッキング・ユニット１０２は、高い所の壁又は他の類似の垂直面に取り外し自在に取り付けられる。本願明細書では、この長さは、胴長として定義される。バッキング・ユニット１０２の高さは、合理的にすべての胴長に適合するように、１２．７から７６．２ｃｍ（５から３０インチ）の範囲であり、例えば３０．４８から６５．３ｃｍ（１２から２５インチ）、又は３８．１から５０．８ｃｍ（１５から２０インチ）の長さであり、男性及び女性の両方の胴長サイズの広範囲を含む。壁の下部の取り付け高さは、バッキング・ユニット１０２の直接下の表面（例えば、床）から８８．９から１１６．８４ｃｍ（３５から４６インチ）、例えば９６．５２から１１１．７６ｃｍ（３８から４４インチ）又は１０１．６から１０６．６８ｃｍ（４０から４２インチ）でもよい。壁の上部の取り付け高さは、バッキング・ユニット１０２の直接下の表面（例えば、床）から１２１．９２から１５７．４８ｃｍ（４８から６２インチ）、例えば１２７から１５２．４ｃｍ（５０から６０インチ）又は１３２．０８から１４２．２４ｃｍ（５２から５６インチ）でもよい。一実施例では、バッキング・ユニット１０２は、ネジ若しくは釘で又は接着剤若しくは接着補助製品で、壁又は壁型表面に取り付け可能である。
【００３９】
持ち手部１０４は、バッキング・ユニット１０２の受け入れ部内にドッキングされ、ヒンジ・ドア１０６は閉じるので、ユーザは、取り付けユニット１００全体までバックすることができ、彼又は彼女の背中をヒンジ・ドア１０６及び持ち手部１０４から延在する凸面突起１０８にユーザに快適である圧力でこすりつけることができる。次に、ユーザは、リブ２０２及び凸面突起１０８によって提供される、引っ掻く及びマッサージする感覚の組み合わせを享受することができる。
【００４０】
他の実施例では、主取り付けユニットは、壁のコーナーに取り付けられるコーナー装置９００であり、コーナー装置９００は、ユーザが彼又は彼女の背中を凸面突起１０８及びその上のリブ２０２にこすりつけるときのより角度のついた可動性を可能にする。
【００４１】
上述したことは、１つ又は複数の実施例の実例を含む。もちろん、上述した態様を記載するために上記のデバイス又は方法のすべての考えられる変形及び代替を記載することはできないが、当業者は、さまざまな態様の多くのさらなる変形及び変更が可能であることを認識することができる。したがって、記載されている態様は、添付の請求項の精神及び範囲内に該当するすべてのこの種の代替、変形及びバリエーションを包含することを意図する。さらに、詳細な説明又は請求項において用いられる「含む（ｉｎｃｌｕｄｅ）」という用語の範囲に関して、この種の用語は、「備える（ｃｏｍｐｒｉｓｅ）」という用語のような方法で含んでいることを意図する。本明細書中で使用される「本質的にからなる」という用語は、特定の材料又はステップ及び材料又は方法の基本的及び新しい特徴に物質的に影響を及ぼさない材料又はステップを意味する。すべてのパーセンテージ及び平均は、文脈上別段の指示がある場合を除き重量によるものである。上で特定されない場合、本願明細書に記載の特性は、適用できるＡＳＴＭ標準で決定されてもよい、又は、ＡＳＴＭ標準が特性のために存在しない場合、当業者に知られている最も一般的に用いられる標準が用いられてもよい。文脈から明らかでない場合、いかなる測定も２１°Ｃ（７０°Ｆ）及び１気圧で行われるものである。
【図１】
2021509620.tif 000003
【図２Ａ】
2021509620.tif 000004
【図２Ｂ】
2021509620.tif 000005
【図３】
2021509620.tif 000006
【図４】
2021509620.tif 000007
【図５Ａ】
2021509620.tif 000008
【図５Ｂ】
2021509620.tif 000009
【図６Ａ】
2021509620.tif 000010
【図６Ｂ】
2021509620.tif 000011
【図６Ｃ】
2021509620.tif 000012
【図６Ｄ】
2021509620.tif 000013
【図７】
2021509620.tif 000014
【図８Ａ】
2021509620.tif 000015
【図８Ｂ】
2021509620.tif 000016
【図８Ｃ】
2021509620.tif 000017
【図９Ａ】
2021509620.tif 000018
【図９Ｂ】
2021509620.tif 000019
【図１０Ａ】
2021509620.tif 000020
【図１０Ｂ】
2021509620.tif 000021
【図１１Ａ】
2021509620.tif 000022
【図１１Ｂ】
2021509620.tif 000023
【手続補正書】
【提出日】令和2年9月9日(2020.9.9)
【手続補正１】
【補正対象書類名】特許請求の範囲
【補正対象項目名】全文
【補正方法】変更
【補正の内容】
【特許請求の範囲】
【請求項１】
凸面突起を備え、前記凸面突起上で、その中心領域を通って隆起リブが延び、前記中心領域は、前記凸面突起の上面の中心５０％からなり、前記凸面突起は、バッキングに結合される、装置。
【請求項２】
複数の前記凸面突起が、前記バッキングから延在し、前記隆起リブの２つ以上は、異なる方向に配向される、請求項１に記載の装置。
【請求項３】
前記バッキングの背面は、垂直面と同一面に取り付けるように構成されるか、又は
前記バッキングは、垂直面のコーナーに取り付けるために角度を有して構成される、請求項１に記載の装置。
【請求項４】
垂直面に取り付けるための装置であって、
前記装置は、ドッキング・ポートにてバッキング・ユニットに取り外し自在に取り付けられる手持ち式のバッキングから延在する複数の凸面突起を備え、ニブが、少なくとも１つの凸面突起の側から延在し、アタッチメントを前記凸面突起に対して少なくとも部分的に制限するチャネルに嵌められる、装置。
【請求項５】
前記手持ち式のバッキングは、振動モータを含むか、又は
前記突起は、列当たり３〜５の前記突起が存在し、カラム当たり１０〜３０の前記突起が存在するように構成される、請求項４に記載の装置。
【請求項６】
人間又は動物の体表を引っ掻くか又はマッサージをするための方法であって、
前記方法は、少なくとも１つの凸面突起を備えるデバイスを壁に取り付けるステップを含み、前記凸面突起から、リブが、前記凸面突起の中心領域を通って延び、前記中心領域は、前記突起の前記凸面の中心５０％からなり、前記突起は、バッキング・ユニットに結合され、前記バッキング・ユニットは、８８．９〜１１６．８４ｃｍ（３５〜４６インチ）の下部の取り付け高さ及び１２１．９２〜１５７．４８ｃｍ（４８〜６２インチ）の上部の取り付け高さを有し、
前記方法は、前記体表を前記突起に対して移動させるステップを含む、方法。
【国際調査報告】
2021509620.tif 000024